【事件の表示】
　平成　９年特許願第２３１８０２号「皮膚化粧料」拒絶査定不服審判事件〔平成１１年　３月　２日出願公開、特開平１１−　６０４３３〕について、次のとおり審決する。
【結　論】
　本件審判の請求は、成り立たない。
【理　由】
１．手続の経緯
　本願は、平成９年８月１２日の出願であって、平成１６年１月９日付けで拒絶査定がされ、これに対し、平成１６年２月１９日に拒絶査定に対する不服審判請求がなされたものである。
　
２．本願発明
　本願の請求項１に係る発明（以下、「本願発明」という。）は、明細書の記載からみて、特許請求の範囲の請求項１に記載された事項により特定される、以下のとおりのものである。
　
「 一般式（１）
（構造式略）（１）
（但し、ｎは６〜３２で示される。）で表されるイソ型脂肪酸のコレステロールエステル及び／又は一般式（２）
（構造式略）（２）
（但し、ｎは６〜３２で示される。）で表されるアンテイソ型脂肪酸のコレステロールエステル、並びにＬ−アスコルビン酸の無機酸エステル塩とを含有することを特徴とする皮膚化粧料。」
　
３．引用例の記載事項
　
［１］特開平３−１０９３０８号公報（以下、「刊行物１」という。）
　
［1-1］「Ｌ−アスコルビン酸−２−リン酸・ナトリウム塩０．０５〜３．０重量％および水溶性高分子０．０１〜２．０重量％を配合してなる化粧料。」（特許請求の範囲（１））
　
［1-2］「本発明の化粧料は、他の成分として、乳化剤、油性物質、保湿剤・・・などを本発明の目的を達成する範囲内で適宜配合し得る。」（第２頁右上欄最終行〜左下欄第３行）
　
［1-3］「本発明における化粧料とは、柔軟性化粧水、収斂性化粧水などの化粧水類、モイスチャー乳液またはエモリエント乳液などの乳液類などである。」（第２頁左下欄第５〜７行）
　
［２］特開平６−１０７５３１号公報（以下、「刊行物２」という。）
　
［2-1］「 次の成分（Ａ）及び（Ｂ）：
（Ａ）Ｌ−アスコルビン酸及びＬ−アスコルビン酸の水溶性誘導体からなる群より選ばれる一種又は二種以上
（Ｂ）ニコチン酸アミドを含有する美白化粧料。」（特許請求の範囲）
　
［2-2］「本発明に用いられる（Ａ）成分のうち、Ｌ−アスコルビン酸の水溶性誘導体としては、水溶性のものであれば特に限定されないが、例えばＬ−アスコルビン酸リン酸エステルの１価金属塩であるＬ−アスコルビン酸リン酸エステルナトリウム塩・・・２価金属塩であるＬ−アスコルビン酸リン酸エステルマグネシウム塩、Ｌ−アスコルビン酸リン酸エステルカルシウム塩・・・Ｌ−アスコルビン酸硫酸エステルナトリウム塩・・・が好ましいものとして挙げることができる。」（段落【０００７】）
　
［2-3］「本発明の美白化粧料には、本発明の効果を損わない範囲において、上記必須成分以外の通常化粧品、医薬部外品、医薬品等に用いられる各種任意成分を適宜配合することができる。かかる任意成分としては、例えば・・・保湿剤、増粘剤、防腐剤、乳化剤・・・等を挙げることができる。」（段落【００１０】）
　
［３］特開昭６０−７８９１３号公報（以下、「刊行物３」という。）
　
［3-1］「Ｌ−アスコルビン酸−２−硫酸、およびその塩類よりなる群から選ばれた１種または２種以上と、ビタミンＥ類の１種または２種以上とを含有することを特徴とする化粧料」（特許請求の範囲（１））
　
［3-2］「本発明は、美白効果、老化防止効果が著しく改良された新規な化粧料に関する。」（第１頁左下欄第１９〜２０行）
　
［3-3］「本発明の化粧料は、上記の必須成分の他に通常化粧料に配合される成分例えば紫外線吸収剤、湿潤剤、防腐剤、界面活性剤・・・を、本発明の効果を損なわない範囲で適宜組み合わせ、使用することができる。」（第２頁左下欄第１８行〜右下欄第２行）
　
［４］特開平９−１２４４５６号公報（以下、「刊行物４」という。）
　
［4-1］「 一般式（１）
（構造式略）（１）
（但し、ｎは６〜２６で示される。）および一般式（２）
（構造式略）（２）
（但し、ｎは６〜２６で示される。）で表されるイソ型脂肪酸および／またはアンテイソ型脂肪酸のコレステロールエステル、ならびにスフィンゴ脂質類より選ばれる少なくとも一種を必須成分とすることを特徴とする皮膚化粧料。」（特許請求の範囲）
　
［4-2］「本発明の皮膚化粧料は、皮膚が本来備えている水分保持機能を高進、維持することによって皮膚を健常な状態に改善あるいは修復して、かつ美肌作用を有する優れた皮膚化粧料を提供することが明かである。」（段落【００５３】）
　
［５］特開平６−２９３６１４号公報（以下、「刊行物５」という。）
　
［5-1］「【請求項１】炭素数１０〜３０のイソ型脂肪酸３０〜４５重量％、炭素数１１〜３１のアンテイソ型脂肪酸３０〜５０重量％、炭素数１０〜３０のノルマル型脂肪酸１０〜３０重量％を含有し、上記イソ型脂肪酸とアンテイソ型脂肪酸との合計が少なくとも６０重量％であり且つヒドロキシ脂肪酸の含有量が１０％未満であるラノリン由来の非ヒドロキシ脂肪酸の、ステロールエステル、糖エステル、２エチルヘキサノールエステル、高級アルコールエステル及び多価アルコールエステルから選ばれるエステル類。
・・・
【請求項３】請求項１に記載の非ヒドロキシ脂肪酸のエステル類を含む化粧料及び外用薬。」（特許請求の範囲）
　
［5-2］「〈ＮＨ〉下式Ｉで表されるイソ型脂肪酸３０〜４５％、下式ＩＩで表されるアンテイソ型脂肪酸３０〜５０％、下式ＩＩＩで表されるノルマル型脂肪酸１０〜３０％を含有し、上記イソ型脂肪酸とアンテイソ型脂肪酸との合計量が少なくとも６０％であり且つヒドロキシ脂肪酸の含有量が１０％未満である。・・・
式Ｉ：イソ型脂肪酸　
　　（構造式略）　　　　ｎ＝６〜２６        
式II ：アンテイソ脂肪酸
　　（構造式略）　　　　ｎ＝６〜２６
式III ：ノルマル型脂肪酸
　　　　ＣＨ３−（ＣＨ２）ｎ−ＣＯＯＨ　　ｎ＝８〜２８」（段落【００１７】〜【００２０】）
　
［5-3]「ＮＨのコレステロールエステルは皮膚になじみ易く、しかも皮膚に吸収され易く皮膚上になんらベタツキを残さない。・・・特に、ＮＨは通常のＬＦに見られるような水酸基に起因するラクトンやラクチドの形成がないために、配合されたものは経時的に安定な化粧料を与えることができる。」（段落【００３７】〜【００３９】）
　
［5-4］「本発明化粧料の性能を知る一端として試料Ｓ２４の製品について女性１０人に試用試験を依頼した。試験方法は就寝前に試料を手の甲に塗布し、塗布時の試料の拡張性、皮膚への吸収性及び皮膚表面に残る好ましくない油状の感触の有無等について及び翌日起床時の皮膚表面の滑らかさ、しなやかさやしっとりした潤い等の感触についての感想を調査した結果ほぼ全員が塗布時の皮膚への吸収性がよいため不快な液状感触を残さない点、及び起床時の皮膚表面の感触の良さを認めており、本発明の所期の目的が達成されていることが判った。」（段落【００７５】）
　
［６］特開昭６０−１９９８０９号公報（以下、「刊行物６」という。）
　
［6-1］「ラノリン脂肪酸のステロールエステルからなる化粧料用基剤」（特許請求の範囲）
　
［6-2］「ラノリン脂肪酸は、その大部分がイソ脂肪酸、アンテイソ脂肪酸等の分岐脂肪酸とヒドロキシ脂肪酸からなっており、通常の天然脂肪酸に多く見られるノルマル脂肪酸は非常に少なく、また偶数酸と奇数酸とをほぼ同程度の割合で含有しているものである。本発明では、従来公知のラノリン脂肪酸をそのまま使用できることは勿論であるが、該ラノリン脂肪酸を分別、蒸留等により特定の炭素数範囲に分割したものを使用しても差し支えない・・・ラノリン脂肪酸のうち約１／３がヒドロキシ脂肪酸である」（第２頁左上欄第４〜１４行）
　
［6-3］「ラノリン脂肪酸のステロールエステルを構成する他の一成分であるステロールとしては・・・例えばコレステロール・・・を挙げることができる。」（第２頁右上欄第１２行〜左下欄第２行）
　
［6-4］「本発明の化粧料用基材は、乳化性、抱水性及び保湿性に優れ、皮膚になじみ易く、しかも皮膚に吸収され易く皮膚上になんらベタツキを残さないものである。」（第２頁右下欄第１６行〜第３頁左上欄第１行）
　
４．対比
　刊行物１には、「Ｌ−アスコルビン酸−２−リン酸・ナトリウム塩を含有する化粧料」が記載［1-1］されている。該化粧料は化粧水や乳液などの形態で使用される［1-3］から、該化粧料が皮膚化粧料に相当することは明らかであって、刊行物１には、「Ｌ−アスコルビン酸−２−リン酸・ナトリウム塩を含有する皮膚化粧料」（以下、「刊行物１発明」という。）が記載されていることとなる。
　そこで、本願発明と刊行物１発明とを対比すると、本願明細書には、Ｌ−アスコルビン酸の無機酸エステル塩として、Ｌ−アスコルビン酸−２−リン酸・ナトリウム塩が例示されている（段落【００１５】）から、両者は、「Ｌ−アスコルビン酸の無機酸エステル塩を含有する皮膚化粧料」である点で一致し、前者が、配合成分として、Ｌ−アスコルビン酸−２−リン酸・ナトリウム塩の他に「一般式（１）
（構造式略）（１）
（但し、ｎは６〜３２で示される。）で表されるイソ型脂肪酸のコレステロールエステル及び／又は一般式（２）
（構造式略）（２）
（但し、ｎは６〜３２で示される。）で表されるアンテイソ型脂肪酸のコレステロールエステル」を含有しているのに対して、後者には、該配合成分を含有することが示されていない点で相違する。
　
５．判断
　そこで、上記相違点について検討する。
（i）　Ｌ−アスコルビン酸の無機酸エステル塩が、メラニン抑制剤等として、あるいは美白成分として、皮膚化粧料に対する周知の配合成分であることは、本願明細書にも記載（段落【０００２】）され、また、刊行物１〜３にも記載されるとおりである。また、このようなＬ−アスコルビン酸の無機酸エステル塩を含有する皮膚化粧料に、皮膚の水分保持機能を高めるために、更に保湿剤や湿潤剤を配合することも、刊行物１【1-2】、刊行物２（【2-1】〜【2-3】）及び刊行物３（【3-1】〜【3-3】）に記載されているとおりの慣用技術手段である。
（ii）　また、刊行物４には、
一般式（１）及び一般式（２）で表されるイソ型脂肪酸および／またはアンテイソ型脂肪酸のコレステロールエステル、ならびにスフィンゴ脂質類より選ばれる少なくとも一種を必須成分とすることを特徴とする皮膚化粧料が記載［4-1］されている。
　該皮膚化粧料は、水分保持機能を高進、維持する作用を有する［4-2］が、表７の比較例３及び比較例７には、スフィンゴ脂質と組み合わせず、一般式（１）及び一般式（２）で表されるイソ型脂肪酸及びアンテイソ型脂肪酸のコレステロールエステルのみを被験成分として含有するスキンクリームの保湿効果試験及び湿潤性の実用テストの結果が示されている。それによると、保湿効果試験については、比較例３では２０人中８人が、比較例７では、２０人中６人が有効と判定され、湿潤性の実用テストでは、比較例３では２０人中８人が、比較例７では２０人中９人が有効と判定されている。
（iii）　また、刊行物５には
式Ｉ：（構造式略）　　ｎ＝６〜２６  
で表されるイソ型脂肪酸３０〜４５％、
式ＩＩ：（構造式略）　ｎ＝６〜２６
で表されるアンテイソ型脂肪酸３０〜５０％、
式ＩＩＩ：ＣＨ３−（ＣＨ２）ｎ−ＣＯＯＨ　　ｎ＝８〜２８で表されるノルマル型脂肪酸１０〜３０％を含有し、上記イソ型脂肪酸とアンテイソ型脂肪酸との合計量が少なくとも６０％であり且つヒドロキシ脂肪酸の含有量が１０％未満の非ヒドロキシ脂肪酸類のコレステロールエステルを含む化粧料(［5-1］〜［5-3］)についての試用試験の結果が示されている。該試用試験は、該化粧料を女性１０人の手の甲に塗布して行われ、ほぼ全員が皮膚表面の滑らかさ、しなやかさやしっとりした潤い等の感触の良さを認めている［5-4］。
（iv）　さらに、刊行物６には、ラノリン脂肪酸のステロールエステルからなる化粧料用基剤が記載され、該エステルを構成するラノリン脂肪酸は、大部分がイソ脂肪酸、アンテイソ脂肪酸等の分岐脂肪酸とヒドロキシ脂肪酸からなっていて、ヒドロキシ脂肪酸はラノリン脂肪酸のうち約１／３であること、従来公知のラノリン脂肪酸をそのまま使用できることは勿論であるが、該ラノリン脂肪酸を分別、蒸留等により特定の炭素数範囲に分割したものを使用しても差し支えないこと（［6-1］［6-2］）、また、ステロール成分としてはコレステロールが例示されること［6-3］が示されている。
　そして、同刊行物には、この化粧料用基材が乳化性、抱水性及び保湿性に優れている旨記載［6-4］されている。
(v）　刊行物４及び刊行物５に記載されたイソ型脂肪酸および／またはアンテイソ型脂肪酸のコレステロールエステルは、本願発明のイソ型脂肪酸のコレステロールエステルおよび／またはアンテイソ型脂肪酸のコレステロールエステル（ｎ＝６〜２６の範囲において）に相当するところ、刊行物４〜６の前記記載を勘案すれば、該イソ型脂肪酸のコレステロールエステルおよび／またはアンテイソ型脂肪酸のコレステロールエステルが保湿作用や湿潤作用を有することは、本願出願前に既に知られていたことは明らかである。
(vi） そうすると、刊行物１発明の「Ｌ−アスコルビン酸−２−リン酸・ナトリウム塩０．０５〜３．０重量％を含有する皮膚化粧料」において、更に保湿剤または湿潤剤として「一般式（１）
（構造式略）（１）
（但し、ｎは６〜２６で示される。）で表されるイソ型脂肪酸のコレステロールエステル及び／又は一般式（２）
（構造式略）（２）
（但し、ｎは６〜２６で示される。）で表されるアンテイソ型脂肪酸のコレステロールエステル」を配合することは、当業者が格別の創意工夫を要さずになし得たものと認められる。
(vii）　審判請求人は、本願明細書中に記載された実施例及び比較例、並びに追加された実験例の結果を示して、本願発明は、Ｌ−アスコルビン酸の無機エステル塩を単独で配合した場合に比べて、保存安定性及び保湿性が格段に向上しており、格別顕著な効果を奏していると主張しているが、「一般式（１）
（構造式略）（１）
（但し、ｎは６〜２６で示される。）で表されるイソ型脂肪酸のコレステロールエステル及び／又は一般式（２）
（構造式略）（２）
（但し、ｎは６〜２６）で表されるアンテイソ型脂肪酸のコレステロールエステル」が、実質的に保湿剤または湿潤剤として作用するするものであることは前記のとおりである。また、本願発明における「保存安定性」とは、「乳化状態が均一で均質なエマルジョン」が維持されることを意味する（段落【００１９】）ところ、刊行物５には、該コレステロールエステルを配合すると経時的に安定な化粧料を与えることができると記載［5-3］され、刊行物６には、ラノリン脂肪酸のステロールエステルからなる化粧料用基材は乳化性に優れていると記載［6-4］されているから、イソ型脂肪酸のコレステロールエステル及び／又はアンテイソ型脂肪酸のコレステロールエステルを配合することによって、保存安定性及び保湿性が向上することは予想可能であり、格別顕著な効果を奏しているとは認められないから、出願人の主張は採用できない。
　
６．以上のとおりであるから、本願発明は、刊行物１〜６に記載された発明に基づいて、当業者が容易に発明することができたものであって、特許法第２９条第２項の規定により特許を受けることができない。
　よって、結論のとおり審決する。